(57)【要約】      （修正有）【課題】奥歯、つまり小臼歯、大臼歯のインプラントの埋入孔を、安全、確実、容易に、患者に口を大きくあけさせるといった苦痛を強いることなく、楽にあけることができ、また口を大きくあけられない患者にも安全なインプラント手術を行うことができるようにするサージカルガイド、およびこれに使用するスリーブ状部材を提供する。【解決手段】サージカルガイド１は、顎骨に人工歯根の埋入孔をあけるドリルを案内するスリーブ状部材３を備えている。スリーブ状部材は、軸方向と直交する方向の断面をＣ字形状に形成し、軸方向に延びる開口３ａを、頬の側に向けて設ける。スリーブ状部材は、ドリルヘッドの断面形状に合わせて、例えばＵ字形や角溝形等に形成されているのでも良い。【選択図】図１
0003216661.tif 000002
【実用新案登録請求の範囲】
【請求項１】
顎骨に人工歯根の埋入孔をあけるドリルを案内するスリーブ状部材を備えて形成されているサージカルガイドであって、上記のスリーブ状部材が、軸方向と直交する方向の断面がＣ字形状に形成されていると共に、軸方向に延びる開口が、頬の側に向けられて設けられていることを特徴とするサージカルガイド。
【請求項２】
請求項１記載のサージカルガイドに使用するスリーブ状部材であって、軸方向と直交する方向の断面がＣ字形状に形成されていることを特徴とするスリーブ状部材。
【考案の詳細な説明】
【技術分野】
【０００１】
本考案は、インプラント埋入用のサージカルガイドに関し、更に詳しくはサージカルガイド及びこれに使用するスリーブ状部材に関するものである。
【背景技術】
【０００２】
近時、歯を欠損した箇所にインプラント（人工歯根）を埋設し、これを基に人工歯を作ることが一般化している。この種の手術を行う場合は、先ず顎骨に人工歯根の埋入孔をドリルであける必要があるが、その際に、ドリルの着地点と角度と深さを正確な方向に導き、ドリルのぶれを防止する器具として、従来、サージカルガイドが知られている。
【０００３】
歯科医師は、インプラント手術の際に、先ずサージカルガイドを患者の口の中にセットする。そして、次にサージカルガイドに埋め込まれているスリーブ状部材（金属の筒状部材）の中にドリルを入れ、インプラントの埋入孔を顎骨にあけていくものである。
【０００４】
インプラント手術は、このようなサージカルガイドによって、計画の位置にインプラント用の埋入孔を正確にあけることができ、インプラント治療の最大のリスクであるドリリングの不具合を最小限に抑えることができるものである。
【０００５】
而して、従来のサージカルガイドは、図７に示されるように、スリーブ状部材ａが、円筒形に形成されているのが通例であった。そして、このようなスリーブ状部材ａの中にドリルを上から入れ、顎骨に埋入孔を形成していくものであった。
【０００６】
従って、従来品を使用すると、特に小臼歯、大臼歯にインプラントの埋入孔を形成する場合、穿孔作業がし難く、患者にも口を大きくあけさせるといった苦痛を強いるものであった。また口を大きくあけられない患者には従来品は使用できず、安全な手術を行えない、という問題があった。
【先行技術文献】
【特許文献】
【０００７】
【特許文献１】特開２０１３−１０２９２９号公報
【考案の概要】
【考案が解決しようとする課題】
【０００８】
本考案は、このような従来の実情に鑑み、提案されたものである。
従って、本考案の解決しようとする技術的課題は、奥歯、つまり小臼歯、大臼歯のインプラントの埋入孔を、安全、確実、容易に、患者に口を大きくあけさせるといった苦痛を強いることなく、楽にあけることができ、また口を大きくあけられない患者にも安全なインプラント手術を行うことができるよう形成したサージカルガイド及びこれに使用するスリーブ状部材を提供することにある。
【課題を解決するための手段】
【０００９】
本考案は、上記の課題を解決するため、次のような技術的手段を採る。
即ち、本考案のサージカルガイド１は、図１等に示されるように、顎骨に人工歯根の埋入孔をあけるドリル２を案内するスリーブ状部材３を備え、上記のスリーブ状部材３が、軸方向と直交する方向の断面がＣ字形状に形成されていると共に、軸方向に延びる開口３ａが、頬の側に向けられて設けられていることを特徴とする（請求項１）。
【００１０】
本考案の場合、スリーブ状部材３は、文字通りのＣ字形状に形成されている場合には限られない。即ち、スリーブ状部材３は、その内周面と係合するドリルヘッド２ａの断面形状に合わせて、例えばＵ字形や角溝形等に形成されているのでも良い。
【００１１】
またここで、軸方向に延びる開口３ａが、頬の側に向けられて設けられている、とは、ドリル２を頬の側、換言すれば、サージカルガイド１の外側からスリーブ状部材３に入れ、ドリル２を上下方向に操作可能にスリーブ状部材３が設けられている、ということを意味する。
【００１２】
而して、本考案のサージカルガイド１に使用するスリーブ状部材３としては、軸方向と直交する方向の断面がＣ字形状に形成されていることを特徴とするものがある（請求項２）。
【００１３】
スリーブ状部材３は、通常、金属材や合成樹脂材で形成される。Ｃ字形状の意味は、上記の通りである。
【考案の効果】
【００１４】
本考案のサージカルガイドは、このようにスリーブ状部材が、軸方向と直交する方向の断面がＣ字形状に形成されていると共に、軸方向に延びる開口が、頬の側に向けられて設けられている。
【００１５】
従って、本考案品は、ドリルをスリーブ状部材の横方向から運んで操作できるから、これを使用すると、患者の開口が十分得られない場合でも、特に小臼歯、大臼歯に対するインプラント埋入孔を、安全、確実、容易に、患者に苦痛を強いることなく、楽にあけることができ、また口を大きくあけられない患者にも安全なインプラント手術を行うことができる、という実用上優れた効果を奏する。
【００１６】
また本考案のスリーブ状部材によれば、奥歯に対するインプラント埋入孔を、安全、確実、容易に、患者に苦痛を強いることなく、楽にあけることができ、また口を大きくあけられない患者にも安全なインプラント手術を行うことができるサージカルガイドを実現できる。
【図面の簡単な説明】
【００１７】
【図１】本考案の好適な一実施形態を示し、Ａは下顎用の本考案品を上から見た概略斜視図、Ｂはスリーブ状部材の斜視図、Ｃはスリーブ状部材の平面図である。
【図２】本考案品の要部拡大斜視図である。
【図３】図２のＩＩＩ―ＩＩＩ線における本考案品の使用状態を説明するための要部断面図である。
【図４】スリーブ状部材の他の実施形態を示す平面図である。
【図５】スリーブ状部材の他の実施形態を示す平面図である。
【図６】スリーブ状部材の他の実施形態を示す平面図である。
【図７】従来品を示し、Ａは斜視図、Ｂはスリーブ状部材の斜視図、Ｃはスリーブ状部材の平面図である。
【考案を実施するための形態】
【００１８】
以下、本考案の好適な一実施形態を、添付図面に従って説明する。
本考案のサージカルガイド１は、インプラント手術時に顎骨に人工歯根の埋入孔をあけるドリル２（図３参照）を案内するスリーブ状部材３を備えて形成されている。
【００１９】
上記のスリーブ状部材３は、金属材で形成され、図１等に示されるように、軸方向と直交する方向の断面がＣ字形状に形成されている。この場合、スリーブ状部材３は、内周面がドリルヘッド２ａの外周面と係合して摺接するよう内径が選定されている。
【００２０】
またスリーブ状部材３は、軸方向に延びる開口３ａが、頬の側に向けられて、換言すれば、サージカルガイド１の外側に向かってＣ字形に開口するよう設けられている。
【００２１】
次に、本考案品の使用例を説明する。
先ず、歯科医師は、サージカルガイド１を患者の上顎や下顎の歯面や骨面や粘膜面に装着する。次に、スリーブ状部材３の中にドリル２（図３参照）を入れ、インプラント埋入孔を顎骨に形成する。
【００２２】
本考案のサージカルガイド１は、上記の通り、断面Ｃ字形状に形成され、頬側にＣ字形に開口している。
従って、本考案品は、ドリル２の刃部２ｂを、スリーブ状部材３に横方向から入れることができ、軸方向に沿って操作できる。この場合、ドリルヘッド２ａは、スリーブ状部材３の内周面と係合するため、ドリルヘッド２ａはスリーブ状部材３によって円滑に案内される。
【００２３】
それ故、本考案品を使用すれば、小臼歯、大臼歯をインプラント手術する場合でも、ドリリングし易く、その結果、シミュレーション通りの正確な位置と方向に埋入孔をあけることができる。
【００２４】
以上の処において、本考案の場合、スリーブ状部材３の形状は、上例に限定されるものではない。即ち、スリーブ状部材３は、ドリルヘッド２ａの断面形状に応じて、例えば図４〜図６に示されるように適宜形成されているので良い。なぜなら、これらの形状でも、本考案の課題を達成できるからである。
【００２５】
具体的には、軸方向と直交する方向の断面がＵ字形状に形成されたり（図４参照）、また角溝状に形成されたり（図５参照）、或いは図６に示されるように、リップ溝形鋼状に形成されているのでも良い。
【符号の説明】
【００２６】
１      サージカルガイド
２      ドリル
２ａ    ドリルヘッド
２ｂ    刃部
３      スリーブ状部材
３ａ    軸方向に延びる開口
【図１】
0003216661.tif 000003
【図２】
0003216661.tif 000004
【図３】
0003216661.tif 000005
【図４】
0003216661.tif 000006
【図５】
0003216661.tif 000007
【図６】
0003216661.tif 000008
【図７】
0003216661.tif 000009